(57)【特許請求の範囲】
【請求項１】
複数の駆動源と、その複数の駆動源を制御する制御手段と、その複数の駆動源と制御手段とが組み込まれる装置内の温度を検出する温度検出手段とを含み、
制御手段は、温度検出手段によって検出される温度が、予め定める温度よりも低いと、複数の駆動源のすべてを同時に動作させ、温度検出手段によって検出される温度が予め定める温度以上になると、複数の駆動源を、動作させる駆動源からなる第１のグループと、動作を停止させる駆動源からなる第２のグループとに分け、予め定める時間が経過する度に、第１のグループに含まれる駆動源のうち少なくとも１つの駆動源の動作を停止させて第２のグループに含め、かつ第２のグループに含まれる少なくとも１つの駆動源を動作させて第１のグループに含めることを特徴とする電子機器。
【請求項２】
前記予め定める温度は、複数の異なる予め定める温度を含み、
前記制御手段は、前記温度検出手段によって、既に検出された予め定める温度のうちの最も高い予め定める温度よりも高い温度が検出されると、第２のグループに含まれる駆動源の数を増やすことを特徴とする請求項１に記載の電子機器。
【請求項３】
前記複数の駆動源の動作と独立して動作する付加回路であって、その付加回路が動作するときに消費する電力よりも低い電力で待機する低消費電力モードを有する付加回路を含み、
前記制御手段は、第１のグループに含まれる駆動源の数が１つになっている状態で、前記温度検出手段によって、既に検出された予め定める温度のうち最も高い予め定める温度よりも高い温度が検出された時、その時に装置が行うべき動作に関係しない付加回路を低消費電力モードにすることを特徴とする請求項２に記載の電子機器。
【請求項４】
前記制御手段は、前記複数の駆動源を制御する１つのＬＳＩを含むことを特徴とする請求項１に記載の電子機器。
【請求項５】
前記複数の駆動源は、インクヘッドを移動させるキャリッジモータ、印刷するための記録紙の給紙および紙送りを行うフィードモータ、およびスキャナを駆動するスキャナモータを含むことを特徴とする請求項１に記載の電子機器。
【請求項６】
前記予め定める時間は、１枚の記録紙を処理する時間、１キャリッジを処理する時間、または１枚の記録紙を処理する時間および１キャリッジを処理する時間を組み合わせた時間であることを特徴とする請求項５に記載の電子機器。
【発明の詳細な説明】
【技術分野】
【０００１】
本発明は、モータを用いる電子機器に関し、より詳細には、モータおよびモータを制御するＬＳＩなどの電子部品が過熱状態にならないように制御する電子機器に関する。
【背景技術】
【０００２】
駆動部を有する電子機器では、駆動部を駆動する駆動源としてモータを搭載したものが多い。このモータを連続動作させると、モータ自身の発熱によって、モータが所定の上限温度を越えて、モータが故障してしまうことがある。
【０００３】
従来の技術として、モータ温度が上限温度を超えないように制御する電子機器がある。この電子機器は、環境温度検出手段によって使用環境温度を検出し、モータの電力消費量に基づいてモータの発熱量を推測し、環境温度検出手段よって検出された使用環境温度と推測した発熱量とに基づいて、モータの温度が所定の上限温度を越えないよう休止時間を設定してモータを制御する（たとえば特許文献１参照）。
【０００４】
【特許文献１】特開２００５−２８７２５３号公報
【発明の開示】
【発明が解決しようとする課題】
【０００５】
しかしながら、従来の技術では、モータの温度が所定の上限温度を越えないようにするために、休止時間を設けるので、ユーザに装置の動作が一時的に停止したかのように見えてしまうという問題がある。
【０００６】
さらに、近年のＬＳＩ（Large Scale Integration）技術の進歩によって、電子機器で用いる複数のモータすべてを１チップのＬＳＩで制御するように集積化されたデバイスが存在する。たとえばキャリッジモータおよび給紙モータ、さらにファクシミリ装置などで用いられるスキャナ用ステッピング低電流モータなどを駆動するドライバを集積化したデバイスである。モータの発熱だけでなく、このようなデバイスの発熱をいかに抑えて、デバイスの上限使用温度を守るべく制御することができるかが大きな課題となっている。
【０００７】
本発明の目的は、モータの動作を全面停止させることなく、複数のモータおよびこれらのモータを制御する制御回路の発熱を抑えることができる電子機器を提供することである。
【課題を解決するための手段】
【０００８】
本発明は、複数の駆動源と、その複数の駆動源を制御する制御手段と、その複数の駆動源と制御手段とが組み込まれる装置内の温度を検出する温度検出手段とを含み、
制御手段は、温度検出手段によって検出される温度が、予め定める温度よりも低いと、複数の駆動源のすべてを同時に動作させ、温度検出手段によって検出される温度が予め定める温度以上になると、複数の駆動源を、動作させる駆動源からなる第１のグループと、動作を停止させる駆動源からなる第２のグループとに分け、予め定める時間が経過する度に、第１のグループに含まれる駆動源のうち少なくとも１つの駆動源の動作を停止させて第２のグループに含め、かつ第２のグループに含まれる少なくとも１つの駆動源を動作させて第１のグループに含めることを特徴とする電子機器である。
【０００９】
本発明に従えば、制御手段によって、複数の駆動源が制御され、温度検出手段によって、その複数の駆動源と制御手段とが組み込まれる装置内の温度が検出される。さらに、制御手段によって、温度検出手段によって検出される温度が、予め定める温度よりも低いと、複数の駆動源のすべてが同時に動作され、温度検出手段によって検出される温度が予め定める温度以上になると、複数の駆動源が、動作させる駆動源からなる第１のグループと、動作を停止させる駆動源からなる第２のグループとに分けられ、予め定める時間が経過する度に、第１のグループに含まれる駆動源のうち少なくとも１つの駆動源の動作が停止されて第２のグループに含められ、かつ第２のグループに含まれる少なくとも１つの駆動源が動作されて第１のグループに含められるので、温度検出手段によって検出される温度が予め定める温度以上になると、一部の駆動源であるモータを停止し、かつ停止するモータを順次入れ換えることによって、モータの動作を全面停止させることなく、複数のモータおよびこれらのモータを制御する制御回路の発熱を抑えることができる。
【００１０】
また本発明は、前記予め定める温度は、複数の異なる予め定める温度を含み、
前記制御手段は、前記温度検出手段によって、既に検出された予め定める温度のうちの最も高い予め定める温度よりも高い温度が検出されると、第２のグループに含まれる駆動源の数を増やすことを特徴とする。
【００１１】
本発明に従えば、複数の予め定める温度のうちより高い予め定める温度を検出する度に、停止させる駆動源であるモータの数を増やすので、発熱量をさらに少なくすることができる。
【００１２】
また本発明は、前記複数の駆動源の動作と独立して動作する付加回路であって、その付加回路が動作するときに消費する電力よりも低い電力で待機する低消費電力モードを有する付加回路を含み、
前記制御手段は、第１のグループに含まれる駆動源の数が１つになっている状態で、前記温度検出手段によって、既に検出された予め定める温度のうち最も高い予め定める温度よりも高い温度が検出された時、その時に装置が行うべき動作に関係しない付加回路を低消費電力モードにすることを特徴とする。
【００１３】
本発明に従えば、制御手段によって、第１のグループに含まれる駆動源の数が１つになっている状態で、温度検出手段によって、既に検出された予め定める温度のうち最も高い予め定める温度よりも高い温度が検出された時、その時に装置が行うべき動作に関係しない付加回路が低消費電力モードにされるので、付加回路の発熱量を減らし、装置の温度を下げることができる。
【００１４】
また本発明は、前記制御手段は、前記複数の駆動源を制御する１つのＬＳＩを含むことを特徴とする。
【００１５】
本発明に従えば、制御手段は、複数の駆動源であるモータを制御する１つのＬＳＩを含むので、動作を停止させるモータの数を増やすほど、ＬＳＩの温度をより下げることができる。
【００１６】
また本発明は、前記複数の駆動源は、インクヘッドを移動させるキャリッジモータ、印刷するための記録紙の給紙および紙送りを行うフィードモータ、およびスキャナを駆動するスキャナモータを含むことを特徴とする。
【００１７】
本発明に従えば、複数の駆動源であるモータは、インクヘッドを移動させるキャリッジモータ、印刷するための記録紙の給紙および紙送りを行うフィードモータ、およびスキャナを駆動するスキャナモータを含むので、複合機たとえば複数の機能を有するファクシミリ装置などに適用することができる。
【００１８】
また本発明は、前記予め定める時間は、１枚の記録紙を処理する時間、１キャリッジを処理する時間、または１枚の記録紙を処理する時間および１キャリッジを処理する時間を組み合わせた時間であることを特徴とする。
【００１９】
本発明に従えば、予め定める時間は、１枚の記録紙を処理する時間、１キャリッジを処理する時間、または１枚の記録紙を処理する時間および１キャリッジを処理する時間を組み合わせた時間であるので、動作させるモータの役割に応じて動作させる時間を定めることができる。
【発明の効果】
【００２０】
本発明によれば、モータの動作を全面停止させることなく、複数のモータおよびこれらのモータを制御する制御回路の発熱を抑えることができるので、モータおよびモータを制御するＬＳＩなどの電子部品の加熱による故障の発生を防止することができ、電子機器の信頼度を向上することができる。
【００２１】
また本発明によれば、発熱量をさらに少なくすることができるので、温度を早く下げることができる。
【００２２】
また本発明によれば、付加回路の発熱量を減らし、装置の温度を下げることができるので、電子機器の動作を全面停止することなく、装置を稼動させることができる。
【００２３】
また本発明によれば、動作を停止させるモータの数を増やすほど、ＬＳＩの温度をより下げることができるので、ＬＳＩの発熱による電子機器内の温度の上昇をより抑えることができる。
【００２４】
また本発明によれば、複合機たとえば複数の機能を有するファクシミリ装置などに適用することができるので、複合機などの装置内の温度上昇を抑えることができる。
【００２５】
また本発明によれば、動作させるモータの役割に応じて動作させる時間を定めることができるので、温度上昇を抑えながら、効率よく装置を稼動させることができる。
【発明を実施するための最良の形態】
【００２６】
図１は、本発明の実施の一形態であるファクシミリ装置１の概略の構成を示すブロック図である。電子機器であるファクシミリ装置１は、たとえばインクジェット式ＦＡＸ（
Facsimile）装置であり、ＭＰＵ（Micro Processing Unit）部１０、ＲＯＭ（Read Only 
Memory）１１、ＲＡＭ（Random Access Memory）１２、パネル制御部１３、表示部１４、通信制御部１５、ネットワーク制御部１６、使用温度検出部１７、データバス１９、読取動作部２０、および記録動作部３０を含む。
【００２７】
ＭＰＵ部１０は、ファクシミリ装置１を制御するための制御プログラムを実行するための演算処理およびそれ以外の必要な演算処理を行い、パネル制御部１３、通信制御部１５、ネットワーク制御部１６、使用温度検出部１７、データバス１９、読取動作部２０、および記録動作部３０を制御する。ＲＯＭ１１は、たとえば半導体メモリなどのＲＯＭによって構成され、制御プログラムつまりファームウエアおよび制御を行うために必要な制御データを記憶している。ＲＡＭ１２は、たとえば半導体メモリなどのＲＡＭによって構成され、ＭＰＵ部１０が演算処理を行う際の作業領域および制御データを含むデータの一時格納領域として用いられる。
【００２８】
パネル制御部１３は、たとえばＬＣＤ（Liquid Crystal Display）などの表示装置および操作パネルなどの入力装置を含む表示部１４への表示および操作パネルを制御する。通信制御部１５は、通話および通信を行うための回線３に接続され、送受話あるいはファクシミリ手順信号の送受信処理を行う。ネットワーク制御部１６は、ＬＡＮ（Local Area 
Network）通信を行うためのネットワーク網４に接続され、ネットワーク網４を介した通信を制御する。
【００２９】
使用温度検出部１７は、たとえばサーミスタによって構成され、ファクシミリ装置１の内部に組み込まれているモータ、ＬＳＩ（Large Scale Integration）、および電子部品の周囲の使用温度を検出する。使用温度検出部１７が検出した温度は、ＭＰＵ部１０に知らされる。データバス１９は、ＭＰＵ部１０、ＲＯＭ１１、ＲＡＭ１２、通信制御部１５、ネットワーク制御部１６、および読取動作部２０間で、データを受け渡しするためのデータバスである。
【００３０】
読取動作部２０は、たとえば原稿２を読み取る読み取り動作部たとえばスキャナであり、光電変換回路部２１、画像データ処理部２２、およびスキャナモータ２３を含む。光電変換回路部２１は、原稿２を光学的に走査して読み取り、読み取ったデータを画像アナログデータとして、画像データ処理部２２に送る。画像データ処理部２２は、光電変換回路部２１から受け取った画像アナログデータをデジタル化し、デジタル化したデジタルデータに対して画像処理を行う。画像処理されたデータは、ＭＰＵ部１０を介して、記録制御部３１に送られ、印字部３２によって記録紙に出力される。スキャナモータ２３は、原稿２を動かし、予め定める速度で光電変換回路部２１にスキャンさせるための駆動源であるモータであり、モータ制御部３３によって制御される。
【００３１】
記録動作部３０は、たとえばデータを記録紙に出力する記録動作部たとえばプリンタであり、記録制御部３１、印字部３２、モータ制御部３３、ＣＲ（carriage）モータ３４、およびＰＦ（paper feed）モータ３５を含む。記録制御部３１は、ＭＰＵ部１０を介して、画像データ処理部２２から受け取ったデータを、記録紙に出力するためのデータに変換し、印字部３２によって記録紙に出力する。印字部３２は、記録紙に対してインクを噴射させるカードリッジを含み、そのカートリッジは、ＣＲモータ３４によって駆動され、記録紙に対して相対移動する。モータ制御部３３は、ＭＰＵ部１０の指示に従って、スキャナモータ２３、ＣＲモータ３４、およびＰＦモータ３５を制御する。ＣＲモータ３４は、印字させるため、カードリッジを予め定める速度で移動させる駆動源である。ＰＦモータ３５は、印字させるため、記録紙の紙送りおよび給紙を行い、記録紙を予め定める速度で移動させる駆動源である。
【００３２】
ユーザが、パネル制御部１３によって、たとえばコピー動作を選択すると、ＭＰＵ部１０は、ＲＯＭ１１からコピー用ファームウエアを読み出して、コピー動作を制御する。ＭＰＵ部１０は、モータ制御部３３によって、スキャナモータ２３を動作させながら、原稿２を光学的に走査して読み取り、光電変換回路２１にてアナログデータとして、画像データ処理部２２に送る。ＭＰＵ部１０は、さらに画像データ処理部２２によって、そのアナログデータをデジタル化する。デジタル化されたデータは、ＲＡＭ１２に逐次バッファリングされていく。ＲＡＭ１２にバッファリングされたデータは、記録制御部３１によって読み出され、印字フォーマットに変換される。記録制御部３１によって変換された印字データがカートリッジに転送され記録紙に出力される際、モータ制御部３３は、ＰＦモータ３５によって記録紙をフィードさせ、ＣＲモータ３４を動作させる。この動作状態において、使用温度検出部１７は、ファクシミリ装置１内の温度を検出する。
【００３３】
モータ制御部３３は、たとえば３種類の駆動源であるモータをドライブつまり駆動させるに当たり電力を必要とし、電力を消費する結果発熱する。その発熱によってファクシミリ装置１内の温度が上昇し、ファクシミリ装置１内の温度は、使用温度検出部１７によって検出つまり測定される。
【００３４】
ファクシミリ装置１でのコピーの連続動作において、そのパフォーマンスを最も上げるためには、つまりコピー速度を追求するためには、読取動作部２０による読み取り動作と、記録動作部３０による記録動作とを同時に動作させ、原稿２を読み取りながら、記録紙への出力を行う必要がある。しかしながら、この連続動作は、最も多くの電力を必要とし、ファクシミリ装置１内部の温度上昇の最も大きな要因となる。
【００３５】
図２は、図１に示したファクシミリ装置１が行うモータ制御処理を示すフローチャートである。モータ制御処理は、ファクシミリ装置１のスループットをできるだけ高い状態に維持しつつ、ファクシミリ装置１内部の温度を下げるために行われる処理である。ユーザが、パネル制御部１３によって、たとえばコピー動作を選択すると、ステップＡ１に移る。
【００３６】
ステップＡ１では、使用温度を監視する。すなわち、コピー動作が始まると、使用温度検出部１７によってファクシミリ装置１内部の温度が測定つまり検出され、ＭＰＵ部１０に知らされる。ステップＡ２では、ＭＰＵ部１０によって、測定温度が閾値１よりも小さいか否かが判定される。閾値１は、最も高いスループットを確保するための第１の閾値温度であり、たとえば摂氏４０度である。測定温度が閾値１よりも小さい場合、ステップＡ３に進み、測定温度が閾値１よりも小さくない場合、ステップＡ４に進む。
【００３７】
ステップＡ３では、ＭＰＵ部１０は、モータ制御部３３にてモータ、つまりスキャナモータ２３、ＣＲモータ３４、およびＰＦモータ３５を同時動作させて終了する。すなわち、読取動作部２０による読み取り動作と記録動作部３０による記録動作とを同時に動作させ、原稿２を読み取りながら、逐次記録紙に出力させる。つまりスキャナモータ２３と、ＣＲモータ３４と、ＰＦモータ３５とは同時に動作することとなり、もっとも消費電力が大きくなり、ファクシミリ装置１内部の温度は上昇することとなる。ステップＡ２の条件が成立する限り、この高いスループットの動作状態を保持しつつ、コピー動作を行うことができる。
【００３８】
ステップＡ４では、ＭＰＵ部１０によって、測定温度が閾値２よりも小さいか否かが判定される。閾値２は、２番目に高いスループットを確保しつつ、閾値１の場合よりも消費電力を低下させて温度を下げることを目的として設定される第２の閾値温度であり、たとえば摂氏５０度である。測定温度が閾値２よりも小さい場合、ステップＡ５に進み、測定温度が閾値２よりも小さくない場合、ステップＡ６に進む。ステップＡ５では、ＭＰＵ部１０は、モータ制御部３３にてモータ、つまりＣＲモータ３４およびＰＦモータ３５を時分割で動作させて終了する。すなわち、読取動作部２０による読み取り動作と記録動作部３０による記録動作とを同時に動作させる際、記録動作のＣＲモータ３４とＰＦモータ３５とを時分割で動作させる。つまりスキャナモータ２３およびＣＲモータ３４の組合せ、またはスキャナモータ２３およびＰＦモータ３５の組合せで同時動作させる。換言すれば、スキャナモータ２３と、ＣＲモータ３４またはＰＦモータ３５とが同時動作する。ステップＡ３でのスループットに比べて、スループットは低下するが、消費電力を下げることによって、ファクシミリ装置１内部の温度の上昇を抑えあるいは温度を下げることができる。
【００３９】
ステップＡ６では、ＭＰＵ部１０によって、測定温度が閾値３よりも小さいか否かが判定される。閾値３は、３番目に高いスループットを確保しつつ、閾値２の場合よりも消費電力を低下させて温度を下げることを目的として設定される第３の閾値温度であり、たとえば摂氏６０度である。測定温度が閾値３よりも小さい場合、ステップＡ７に進み、測定温度が閾値３よりも小さくない場合、ステップＡ８に進む。ステップＡ７では、ＭＰＵ部１０は、モータ制御部３３にてモータ、つまりスキャナモータ２３、ＣＲモータ３４、およびＰＦモータ３５を時分割で動作させて終了する。すなわち、読取動作部２０による読み取り動作と記録動作部３０による記録動作とを完全に独立して、時分割で動作させる。つまり、スキャナモータ２３と、ＣＲモータ３４と、ＰＦモータ３５とがそれぞれ異なる時間帯に動作する。したがって、ステップＡ５でのスループットに比べて、スループットは低下するが、消費電力をさらに下げることによって、ファクシミリ装置１内部の温度の上昇を抑えあるいは温度を下げることができる。
【００４０】
ステップＡ８では、ＭＰＵ部１０によって、測定温度が閾値４よりも小さいか否かが判定される。閾値４は、３番目に高いスループットと同じスループットを確保し、かつ温度をさらに下げるための第４の閾値温度であり、たとえば摂氏７０度である。測定温度が閾値４よりも小さい場合、ステップＡ９に進み、測定温度が閾値４よりも小さくない場合、ステップＡ１０に進む。ステップＡ９では、ＭＰＵ部１０は、ネットワーク制御部１６および通信制御部１５をパワーダウン制御し、かつ、モータ制御部３３にてモータ、つまりスキャナモータ２３、ＣＲモータ３４、およびＰＦモータ３５を時分割で動作させて終了する。すなわち、コピー動作において不必要な回路ブロック、たとえばネットワーク制御部１６および通信制御部１５をパワーダウン、つまり低消費電力モードにする。低消費電力モードは、その回路ブロックが動作するときに消費する電力よりも低い電力で待機するモードである。したがって、ステップＡ６でのスループットと同じスループットを維持しつつ、消費電力をさらに下げることによって、ファクシミリ装置１内部の温度の上昇をさらに抑えあるいは温度を下げることができる。
【００４１】
ステップＡ１０では、ＭＰＵ部１０は、ネットワーク制御部１６および通信制御部１５をパワーダウン制御し、かつ、モータ制御部３３にてモータ、つまりスキャナモータ２３、ＣＲモータ３４、およびＰＦモータ３５をすべて停止して終了する。ファクシミリ装置１内部の温度が閾値４を超えた場合は、温度を緊急に下げる必要があり、コピー動作を停止して、ファクシミリ装置１内部の温度を下げる。図２に示した処理を終了した後は、予め定める時間、たとえば１０秒が経過するのを待った後、ステップＡ１に戻り、図２示した処理を繰り返す。
【００４２】
図３は、図１に示したファクシミリ装置１が行う複数のモータの同時動作の一例を示すタイムチャートである。図３は、図２に示したフローチャートにおけるステップＡ３での同時動作の例を示している。フィードモータつまりＰＦモータ３５が、１枚目の記録紙を引き込んだ後、スキャナモータ２３が１枚目に対する動作を開始する。スキャナモータ２３が１枚目に対する動作を行っている間、キャリッジモータつまりＣＲモータ３４とフィードモータとは、ブロック毎に交互に動作する。１ブロックは、１キャリッジ単位つまり１回の走査で印字する単位である。まず、フィードモータが１枚目の記録紙をセットし、その後、キャリッジモータが１枚目の１ブロック目を印字する。１ブロック目の印字が終了すると、フィードモータは、印字された１ブロック目を排出するとともに２ブロック目を引き込むように紙送りする。次にキャリッジモータが１枚目の２ブロック目の印字を終了すると、フィードモータは、印字された２ブロック目を排出するとともに３ブロック目を引き込むように紙送りする。３ブロック目以降についても、１ブロック目および２ブロック目に対する動作と同様の動作が行われる。１枚目の最終ブロックに対するキャリッジモータの動作と、２枚目の記録紙に対するフィードモータの引き込み動作とが同時に行われる。１枚目の最終ブロックに対するフィードモータによる排出は、２枚目の記録紙がセットされる際に、並行して行われる。２枚目以降の記録紙に対しても、１枚目の記録紙に対する動作と同様の動作が行われる。この場合、キャリッジモータとフィードモータとは、１つのブロックに対して同時に動作させることができないので、交互に動作させている。次の記録紙の引き込みは同時動作可能であるので、同時に動作させている。
【００４３】
図４は、図１に示したファクシミリ装置１が行う複数のモータの時分割動作の一例を示すタイムチャートである。この例では、２枚目の記録紙に対するフィードモータの引き込み動作は、１枚目の最終ブロックに対するキャリッジモータの動作の後に行われ、キャリッジモータの動作とフィードモータの動作とは、完全に時分割で行われる。しかし、スキャナモータおよびキャリッジモータの組合せ、またはスキャナモータおよびフィードモータの組合せは、同時に動作する。
【００４４】
図５は、図１に示したファクシミリ装置１が行う複数のモータの時分割動作の他の例を示すタイムチャートである。スキャナモータ２３が１枚目に対する動作を行った後、フィードモータが、１枚目の記録紙を引き込む。１枚目の記録紙が引き込まれた後、フィードモータが１枚目の記録紙をセットし、その後キャリッジモータとフィードモータとが、ブロック毎に交互に動作する。２枚目の記録紙に対するスキャナモータ２３の動作は、１枚目の記録紙に対するキャリッジモータおよびフィードモータの動作が終了した後に行われる。すなわち、常に１つのモータしか動作しない。
【００４５】
上述した実施の形態では、コピー動作について説明したが、コピー動作に限定されるものではなく、複数のモータを同時に動作させる場合であれば、同様に複数のモータを時分割で動作させることによって、ファクシミリ装置１内の温度を下げることができる。さらに時分割の単位は、１ページ単位および１キャリッジ単位を組み合わせて行ったが、１ページ単位で行ってもよいし、１キャリッジ単位で行ってもよく、目的に応じて他の単位で行ってよい。たとえば、駆動されるモータに応じて時分割される時間の長さを決めてもよい。
【００４６】
このように、制御手段たとえばＭＰＵ部１０およびモータ制御部３３によって、複数の駆動源であるモータが制御され、温度検出手段たとえば使用温度検出部１７によって、その複数の駆動源と制御手段とが組み込まれる装置内の温度が検出される。さらに、制御手段によって、温度検出手段によって検出される温度が、予め定める温度よりも低いと、複数の駆動源のすべてが同時に動作され、温度検出手段によって検出される温度が予め定める温度以上になると、複数の駆動源が、動作させる駆動源からなる第１のグループと、動作を停止させる駆動源からなる第２のグループとに分けられ、予め定める時間が経過する度に、第１のグループに含まれる駆動源のうち少なくとも１つの駆動源の動作が停止されて第２のグループに含められ、かつ第２のグループに含まれる少なくとも１つの駆動源が動作されて第１のグループに含められるので、温度検出手段によって検出される温度が予め定める温度以上になると、一部の駆動源であるモータを停止し、かつ停止するモータを順次入れ換えることによって、モータの動作を全面停止させることなく、複数のモータおよびこれらのモータを制御する制御回路の発熱を抑えることができる。したがって、モータおよびモータを制御するＬＳＩなどの電子部品の加熱による故障の発生を防止することができ、電子機器の信頼度を向上することができる。
【００４７】
さらに、複数の予め定める温度のうちより高い予め定める温度を検出する度に、停止させる駆動源であるモータの数を増やすので、発熱量をさらに少なくすることができる。したがって、温度を早く下げることができる。
【００４８】
さらに、制御手段たとえばＭＰＵ部１０およびモータ制御部３３によって、第１のグループに含まれる駆動源であるモータの数が１つになっている状態で、温度検出手段たとえば使用温度検出部１７によって、既に検出された予め定める温度のうち最も高い予め定める温度よりも高い温度が検出された時、その時に装置が行うべき動作に関係しない付加回路たとえばネットワーク制御部１６および通信制御部１５が低消費電力モードにされるので、付加回路の発熱量を減らし、装置の温度を下げることができる。したがって、電子機器の動作を全面停止することなく、装置を稼動させることができる。
【００４９】
さらにまた、制御手段たとえばＭＰＵ部１０およびモータ制御部３３に含まれるモータ制御部３３は、複数の駆動源であるモータを制御する１つのＬＳＩであるので、動作を停止させるモータの数を増やすほど、ＬＳＩの温度をより下げることができる。したがって、ＬＳＩの発熱による電子機器内の温度の上昇をより抑えることができる。
【００５０】
さらに、複数の駆動源であるモータは、インクヘッドを移動させるキャリッジモータ、印刷するための記録紙の給紙および紙送りを行うフィードモータ、およびスキャナを駆動するスキャナモータを含むので、複合機たとえば複数の機能を有するファクシミリ装置などに適用することができる。したがって、複合機などの装置内の温度上昇を抑えることができる。
【００５１】
さらにまた、予め定める時間は、１枚の記録紙を処理する時間、１キャリッジを処理する時間、または１枚の記録紙を処理する時間および１キャリッジを処理する時間を組み合わせ時間であるので、動作させるモータの役割に応じて動作させる時間を定めることができる。したがって、温度上昇を抑えながら、効率よく装置を稼動させることができる。
【図面の簡単な説明】
【００５２】
【図１】本発明の実施の一形態であるファクシミリ装置１の概略の構成を示すブロック図である。
【図２】図１に示したファクシミリ装置１が行うモータ制御処理を示すフローチャートである。
【図３】図１に示したファクシミリ装置１が行う複数のモータの同時動作の一例を示すタイムチャートである。
【図４】図１に示したファクシミリ装置１が行う複数のモータの時分割動作の一例を示すタイムチャートである。
【図５】図１に示したファクシミリ装置１が行う複数のモータの時分割動作の他の例を示すタイムチャートである。
【符号の説明】
【００５３】
１  ファクシミリ装置
２  原稿
３  回線
４  ネットワーク網
１０  ＭＰＵ部
１１  ＲＯＭ
１２  ＲＡＭ
１３  パネル制御部
１４  表示部
１５  通信制御部
１６  ネットワーク制御部
１７  使用温度検出部
１９  データバス
２０  読取動作部
２１  光電変換回路部
２２  画像データ処理部
２３  スキャナモータ
３０  記録動作部
３１  記録制御部
３２  印字部
３３  モータ制御部
３４  ＣＲモータ
３５  ＰＦモータ
【図１】
0004653015.tif 000002
【図２】
0004653015.tif 000003
【図３】
0004653015.tif 000004
【図４】
0004653015.tif 000005
【図５】
0004653015.tif 000006